(57)【要約】本発明は、少なくとも１つのマスター基地局と；前記少なくとも１つのマスター基地局とＬＡＮ、ＬＡＮインフラ網及びインターネットのうち、少なくとも１つを介して有線で連結され、同期信号及びデジタル形態のデータ信号を送受信する少なくとも１つの遠隔基地局と；前記少なくとも１つのマスター基地局の伝送半径内に位置し、無線で前記同期信号及び前記データ信号を送受信する複数の第１移動端末と；前記少なくとも１つの遠隔基地局の伝送半径内に位置し、無線で前記同期信号及び前記データ信号を送受信する複数の第２移動端末とを備え、前記少なくとも１つのマスター基地局と前記少なくとも１つの遠隔基地局は、周波数干渉環境を考慮した互いに相違した独立周波数で駆動され、前記少なくとも１つのマスター基地局と前記少なくとも１つの遠隔基地局が送受信する前記同期信号及び前記データ信号は、互いに相違した周期開始点を持つデジタル無線インターコムシステムを提供する。【代表図】図２
2013541865.tif 000002
【特許請求の範囲】
【請求項１】
少なくとも１つのマスター基地局と；
前記少なくとも１つのマスター基地局とＬＡＮ、ＬＡＮインフラ網及びインターネットのうち、少なくとも１つを介して有線で連結され、同期信号及びデジタル形態のデータ信号を送受信する少なくとも１つの遠隔基地局と；
前記少なくとも１つのマスター基地局の伝送半径内に位置し、無線で前記同期信号及び前記データ信号を送受信する複数の第１移動端末と；
前記少なくとも１つの遠隔基地局の伝送半径内に位置し、無線で前記同期信号及び前記データ信号を送受信する複数の第２移動端末と
を備え、
前記少なくとも１つのマスター基地局と前記少なくとも１つの遠隔基地局は、周波数干渉環境を考慮した互いに相違した独立周波数で駆動され、
前記少なくとも１つのマスター基地局と前記少なくとも１つの遠隔基地局が送受信する前記同期信号及び前記データ信号は、互いに相違した周期開始点を持つことを特徴とするデジタル無線インターコムシステム。
【請求項２】
前記同期信号及び前記データ信号は、同一の伝送フレーム構造を持つ時分割無線通信方式で送受信されることを特徴とする請求項１に記載のデジタル無線インターコムシステム。
【請求項３】
前記少なくとも１つのマスター基地局及び前記少なくとも１つの遠隔基地局は、それぞれ使用可能な複数の伝送フレームに対する可用フレームの情報を前記同期信号に付加して、前記複数の第１移動端末及び前記複数の第２移動端末に送信し、前記複数の第１移動端末及び前記複数の第２移動端末は、それぞれ前記可用フレームの情報を利用して、前記複数の伝送フレームのうち、１つを選択し、選択された前記複数の伝送フレームのうち、１つに対する使用フレームの情報を前記データ信号に付加して、前記少なくとも１つのマスター基地局及び前記少なくとも１つの遠隔基地局に送信することを特徴とする請求項１に記載のデジタル無線インターコムシステム。
【請求項４】
前記少なくとも１つのマスター基地局は、前記少なくとも１つの遠隔基地局から受信された前記使用フレームの情報を総合編集して、更新された前記可用フレームの情報を生成し、更新された前記可用フレームの情報を、周期毎に、または前記可用フレームの情報が更新される度に、前記少なくとも１つの遠隔基地局に送信することを特徴とする請求項３に記載のデジタル無線インターコムシステム。
【請求項５】
前記少なくとも１つのマスター基地局と前記少なくとも１つの遠隔基地局は、それぞれ互いに相違した前記周期開始点及び有線遅延を補償するために伝送フレーム毎にバッファメモリを備え、前記バッファメモリは、設定容量を変更することができる複数の可変バッファで構成されることを特徴とする請求項１に記載のデジタル無線インターコムシステム。
【請求項６】
前記少なくとも１つのマスター基地局と前記少なくとも１つの遠隔基地局は、それぞれ前記複数の第１移動端末及び前記複数の第２移動端末から受信した前記データ信号のエラーを復旧した後、有線で送信することを特徴とする請求項１に記載のデジタル無線インターコムシステム。
【請求項７】
前記少なくとも１つのマスター基地局は、前記少なくとも１つの遠隔基地局に有線で補助同期信号を送信し、前記少なくとも１つの遠隔基地局は、有線で受信された前記補助同期信号を利用して、前記少なくとも１つのマスター基地局との同期を維持することを特徴とする請求項１に記載のデジタル無線インターコムシステム。
【請求項８】
前記複数の第１移動端末及び前記複数の第２移動端末は、それぞれ受信した前記データ信号のうち、予め設定されたオーディオグループに該当する前記データ信号を選択し、選択された前記データ信号を混合して同時に出力することを特徴とする請求項１に記載のデジタル無線インターコムシステム。
【請求項９】
前記少なくとも１つのマスター基地局は、互いに有線で前記同期信号及び前記データ信号を送受信する複数のマスター基地局を含み、前記少なくとも１つの遠隔基地局は、前記複数のマスター基地局のそれぞれと有線で前記同期信号及び前記データ信号を送受信する複数の遠隔基地局を含むことを特徴とする請求項１に記載のデジタル無線インターコムシステム。
【請求項１０】
前記少なくとも１つのマスター基地局は、
前記データ信号を有線で送受信する有線インターフェース部と；
前記データ信号を無線で受信する無線受信部と；
前記無線受信部から前記データ信号を受信し、エラーを復旧するエラー復旧演算部と；
前記データ信号を無線で送信する無線送信部と；
前記有線インターフェース部及び前記エラー復旧演算部からデジタル形態の前記データ信号を受信し、アナログ形態の前記データ信号に変換する第１コーデック部と；
前記第１コーデック部から前記アナログ形態の前記データ信号を受信し、オーディオ出力装置に送信するアナログ信号出力部と；
オーディオ入力装置から前記アナログ形態の前記データ信号を受信するアナログ信号入力部と；
前記アナログ信号入力部から前記アナログ形態の前記データ信号を受信し、前記デジタル形態の前記データ信号に変換する第２コーデック部と；
前記有線インターフェース部、前記無線受信部及び前記無線送信部を制御する制御部と
を備えることを特徴とする請求項１に記載のデジタル無線インターコムシステム。
【請求項１１】
前記少なくとも１つのマスター基地局は、
前記データ信号を合成して前記オーディオ出力装置に送信する第１混合器と；
前記オーディオ入力装置から受信した前記データ信号を合成する第２混合器と
を更に備えることを特徴とする請求項１０に記載のデジタル無線インターコムシステム。
【請求項１２】
前記少なくとも１つの遠隔基地局は、
前記データ信号を有線で送受信する有線インターフェース部と；
前記データ信号を無線で受信する無線受信部と；
前記無線受信部から前記データ信号を受信し、エラーを復旧するエラー復旧演算部と；
前記データ信号を無線で送信する無線送信部と；
前記有線インターフェース部、前記無線受信部及び前記無線送信部を制御する制御部と
を備えることを特徴とする請求項１に記載のデジタル無線インターコムシステム。
【請求項１３】
前記複数の第１移動端末及び前記複数の第２移動端末のそれぞれは、
前記データ信号を無線で受信する無線受信部と；
前記無線受信部から前記データ信号を受信し、エラーを復旧するエラー復旧演算部と；
前記データ信号を無線で送信する無線送信部と；
前記エラー復旧演算部からデジタル形態の前記データ信号を受信し、アナログ形態の前記データ信号に変換する第１コーデック部と；
前記第１コーデック部から前記アナログ形態の前記データ信号を受信し、オーディオ出力装置に送信するアナログ信号出力部と；
オーディオ入力装置から前記アナログ形態の前記データ信号を受信するアナログ信号入力部と；
前記アナログ信号入力部から前記アナログ形態の前記データ信号を受信し、前記デジタル形態の前記データ信号に変換する第２コーデック部と；
前記無線受信部及び前記無線送信部を制御する制御部と
を備えることを特徴とする請求項１に記載のデジタル無線インターコムシステム。
【発明の詳細な説明】
【技術分野】
【０００１】
本発明は、デジタル無線インターコムシステムに関するものであって、更に詳しくは、相互に有線通信し、少なくとも１つの移動端末（ｂｅｌｔ  ｐａｃｋ：ＢＰ）と独立して同期され、無線通信するマスター基地局（ｍａｓｔｅｒ  ｂａｓｅ  ｓｔａｔｉｏｎ：ＭＢＳ）及び少なくとも１つの遠隔基地局（ｒｅｍｏｔｅ  ｂａｓｅ  ｓｔａｔｉｏｎ：ＲＢＳ）を備えるデジタル無線インターコムシステム及びその駆動方法に関するものである。
【背景技術】
【０００２】
超短波（ｖｅｒｙ  ｈｉｇｈ  ｆｒｅｑｕｅｎｃｙ：ＶＨＦ）及び極超短波（ｕｌｔｒａ  ｈｉｇｈ  ｆｒｅｑｕｅｎｃｙ：ＵＨＦ）帯域を用いるアナログ無線インターコムシステムの短所を補完したデジタル無線インターコムシステムとして、最近、許可を得ず使用することができる９００ＭＨｚ／２．４ＧＨｚのＩＳＭ（ｉｎｄｕｓｔｒｉａｌ、ｓｃｉｅｎｔｉｆｉｃ  ａｎｄ  ｍｅｄｉｃａｌ）帯域及び５ＧＨｚのＵＮＩＩ（ｕｎｌｉｃｅｎｓｅｄ  ｎａｔｉｏｎａｌ  ｉｎｆｏｒｍａｔｉｏｎ  ｉｎｆｒａｓｔｒｕｃｔｕｒｅ）帯域を用いる双方向同時通話機能を備えたデジタル無線インターコムシステムが世界的に多く開発されている。
【０００３】
また、既存のＩＥＥＥ８０２．１１ｎ無線ＬＡＮ（ｗｉｒｅｌｅｓｓ  ｌｏｃａｌ  ａｒｅａ  ｎｅｔｗｏｒｋ：ＷＬＡＮ）に続く次世代超高速無線ＬＡＮ規格として、複数ユーザーの同時接続及びＧｂｐｓ以上の速度を支援するだけでなく、携帯用装置のための電力節約仕様を強化したＩＥＥＥ８０２．１１ａｃ及びＩＥＥＥ８０２．１１ａｄの標準化作業も活発に進められている。
【０００４】
かかるデジタル無線インターコムシステムは、高速のデータ伝送速度によって高音質のオーディオデータを伝送することができ、時分割方式などによって同時使用可能なオーディオチャンネルを複数確保することができ、様々な付加価値サービスが可能であるという長所を持つ。
【０００５】
しかし、そのようなたくさんの長所にも関わらず、デジタル無線インターコムシステムは、超短波及び極超短波帯域を用いるアナログ無線インターコムシステムより無線通信距離が短いという短所を持つ。
【０００６】
また、ＩＳＭ及びＵＮＩＩ帯域は、ＤＥＣＴ（ｄｉｇｉｔａｌ  ｅｎｈａｎｃｅｄ  ｃｏｒｄｌｅｓｓ  ｔｅｌｅｃｏｍｍｕｎｉｃａｔｉｏｎｓ）、無線ＬＡＮ、ブルートゥース（ｂｌｕｅｔｏｏｔｈ）、ＦＳＫ（ｆｒｅｑｕｅｎｃｙ  ｓｈｉｆｔ  ｋｅｙｉｎｇ）などの無線技術を用いた様々な製品によって用途に限定されず、誰もが使用することができるため、干渉の少ない周波数帯域が使用場所及び使用時間によってそれぞれ異なる特性を持ち、その結果、かかるＩＳＭ及びＵＮＩＩ帯域を用いるデジタル無線インターコムシステムは、同一周波数を用いては、使用場所及び時間によって常に干渉の少ない最適な周波数帯域を用いることができないという短所を持つ。
【０００７】
かかるデジタル無線インターコムシステムの無線通信距離の限界を克服するために、アンテナを色々な所に設置して無線通信距離を拡張する方法などが用いられている。アンテナを備える従来のデジタル無線インターコムシステムを図面を参照して説明する。
【０００８】
図１は、従来のデジタル無線インターコムシステムを示す図面である。
【０００９】
図１に示すように、従来のデジタル無線インターコムシステム１０は、基地局（ｂａｓｅ  ｓｔａｔｉｏｎ：ＢＳ）２０、アンテナ分配器（ａｎｔｅｎｎａ  ｓｐｌｉｔｔｅｒ）３０、第１及び第２能動アンテナ（ａｃｔｉｖｅ  ａｎｔｅｎｎａ）４０、４２、複数の第１移動端末（ｂｅｌｔ  ｐａｃｋ）５０、複数の第２移動端末５２、複数の第3移動端末５４を備える。
【００１０】
基地局２０にはアンテナ分配器３０が有線で連結され、アンテナ分配器３０には第１及び第２能動アンテナ４０、４２が有線で連結される。
【００１１】
そして、複数の第１移動端末５０は、基地局２０の無線通信距離である第１伝送半径Ｒ１内に位置し、複数の第２移動端末５２は、第１能動アンテナ４０の無線通信距離である第２伝送半径Ｒ２内に位置し、複数の第３移動端末５４は、第２能動アンテナ４２の無線通信距離である第３伝送半径Ｒ３内に位置する。
【００１２】
即ち、複数の第１移動端末５０は、基地局２０の第１信号半径Ｒ１内に位置して基地局２０と無線でオーディオデータを送受信することができる反面、複数の第２移動端末５２及び複数の第３移動端末５４は、基地局２０の第１信号半径Ｒ１の外側に位置して基地局２０と直接無線でオーディオデータを送受信することはできない。
【００１３】
この場合、複数の第２移動端末５２及び複数の第３移動端末５４は、基地局２０の電波到達圏外地域に位置すると考えられるが、アンテナ分配器３０を介して基地局２０と有線で連結される第１及び第２能動アンテナ４０、４２を利用し、基地局２０の無線通信距離を拡張することによって、複数の第２移動端末５２及び複数の第３移動端末５４と基地局２０は、無線でオーディオデータを送受信する。
【００１４】
従って、従来のデジタル無線インターコムシステム１０においては、第１及び第２能動アンテナ４０、４２を利用して基地局２０の電波到達圏外地域を解消することで、無線通信距離の限界をある程度改善することができる。
【００１５】
しかし、従来のデジタル無線インターコムシステム１０においては、基地局２０とアンテナ分配器３０との間の連結配線と、アンテナ分配器３０と第１及び第２能動アンテナ４０、４２との間の連結配線として、非シールド撚り対線（ｕｎｓｈｉｅｌｄｅｄ  ｔｗｉｓｔｅｄ  ｐａｉｒ：ＵＴＰ）を用いることはできるが、かかる連結配線の長さによって無線通信の品質に深刻な影響が与えられ、遅延による音切れのような現象が起こることがあり、また、相違したプロトコールなどの原因でビルなどの建物に既設置されているイーサネット（ｌｏｃａｌ  ａｒｅａ  ｎｅｔｗｏｒｋ：ＬＡＮとも呼ばれる）及びインフラ網を使用することができないという短所がある。
【００１６】
即ち、従来のデジタル無線インターコムシステム１０においては、別途の専用のアンテナ分配器３０と、別途の専用の第１及び第２能動アンテナ４０、４２を用いなければならず、アンテナ分配器３０と第１及び第２能動アンテナ４０、４２との間を別途の専用の非シールド撚り対線で連結しなければならない。
【００１７】
従って、従来のデジタル無線インターコムシステム１０においては、通信距離を拡張するために専用の装備を用いなければならないため、設置費及び維持補修費が増加し、活用性及び汎用性に制限がある。
【００１８】
また、従来のデジタル無線インターコムシステム１０をインターネットに繋げる場合においても、別途の信号変換装置が求められるなど、汎用性に多くの制約がある。
【００１９】
このように、従来のデジタル無線インターコムシステムは、高速データ伝送による高音質確保及び時分割方式などによる複数のオーディオチャンネル確保という長所にも関わらず、短い通信距離や周波数干渉現象などの短所のため、高価な放送システムなどに限られて適用されており、レストランなどへの汎用的な適用には深刻な障害があるのが現状である。
【発明の概要】
【発明が解決しようとする課題】
【００２０】
本発明は、前述した問題点を解決するためのものであって、その目的は、イーサネットを利用して相互に有線でデータ信号を送受信し、少なくとも１つの移動端末とは独立して同期され、無線でデジタル形態のデータ信号を送受信するマスター基地局及び少なくとも１つの遠隔基地局を備えることで、通信距離が拡張され、無線電波到達圏外地域が解消されて、周波数干渉現象及び通信品質が改善されたデジタル無線インターコムシステム及びその駆動方法を提供することである。
【００２１】
また、本発明の他の目的は、複数の伝送フレームを含む時分割方式でデジタル形態のデータ信号を伝送するにおいて、マスター基地局及び少なくとも１つの遠隔基地局の伝送フレームが非同期状態で通信できるようにすることで、相互独立性を維持し、マスター基地局及び少なくとも１つの遠隔基地局の内部メモリバッファを利用して、ネットワーク網のトラフィック状況によって変わる信号遅延による切れ現象のような品質低下を防止するデジタル無線インターコムシステム及びその駆動方法を提供することである。
【課題を解決するための手段】
【００２２】
前述した目的を達成するために、本発明は、少なくとも１つのマスター基地局と；前記少なくとも１つのマスター基地局とＬＡＮ、ＬＡＮインフラ網及びインターネットのうち、少なくとも１つを介して有線で連結され、同期信号及びデジタル形態のデータ信号を送受信する少なくとも１つの遠隔基地局と；前記少なくとも１つのマスター基地局の伝送半径内に位置し、無線で前記同期信号及び前記データ信号を送受信する複数の第１移動端末と；前記少なくとも１つの遠隔基地局の伝送半径内に位置し、無線で前記同期信号及び前記データ信号を送受信する複数の第２移動端末とを備え、前記少なくとも１つのマスター基地局と前記少なくとも１つの遠隔基地局は、周波数干渉環境を考慮した互いに相違した独立周波数で駆動され、前記少なくとも１つのマスター基地局と前記少なくとも１つの遠隔基地局が送受信する前記同期信号及び前記データ信号は、互いに相違した周期開始点を持つデジタル無線インターコムシステムを提供する。
【００２３】
前記同期信号及び前記データ信号は、同一の伝送フレーム構造を持つ時分割無線通信方式で送受信することができる。
【００２４】
前記少なくとも１つのマスター基地局及び前記少なくとも１つの遠隔基地局は、それぞれ使用可能な複数の伝送フレームに対する可用フレームの情報を前記同期信号に付加して、前記複数の第１移動端末及び前記複数の第２移動端末に送信し、前記複数の第１移動端末及び前記複数の第２移動端末は、それぞれ前記可用フレームの情報を利用して、前記複数の伝送フレームのうち、１つを選択し、選択された前記複数の伝送フレームのうち、１つに対する使用フレームの情報を前記データ信号に付加して、前記少なくとも１つのマスター基地局及び前記少なくとも１つの遠隔基地局に送信することができる。
【００２５】
前記少なくとも１つのマスター基地局は、前記少なくとも１つの遠隔基地局から受信された前記使用フレームの情報を総合編集して、更新された前記可用フレームの情報を生成し、更新された前記可用フレームの情報を、周期毎に、または前記可用フレームの情報が更新される度に、前記少なくとも１つの遠隔基地局に送信することができる。
【００２６】
前記少なくとも１つのマスター基地局と前記少なくとも１つの遠隔基地局は、それぞれ互いに相違した前記周期開始点及び有線遅延を補償するために伝送フレーム毎にバッファメモリを備え、前記受信バッファメモリは、設定容量を変更することができる可変バッファで構成することができる。
【００２７】
前記少なくとも１つのマスター基地局と前記少なくとも１つの遠隔基地局は、それぞれ前記複数の第１移動端末及び前記複数の第２移動端末から受信した前記データ信号のエラーを復旧した後、有線で送信することができる。
【００２８】
前記少なくとも１つのマスター基地局は、前記少なくとも１つの遠隔基地局に有線で補助同期信号を送信し、前記少なくとも１つの遠隔基地局は、有線で受信した前記補助同期信号を利用して、前記少なくとも１つのマスター基地局と同期を維持することもできる。
【００２９】
前記複数の第１移動端末及び前記複数の第２移動端末は、それぞれ受信した前記データ信号のうち、予め設定されたオーディオグループに該当する前記データ信号を選択し、選択された前記データ信号を混合して同時に出力することができる。
【００３０】
前記少なくとも１つのマスター基地局は、互いに有線で前記同期信号及び前記データ信号を送受信する複数のマスター基地局を含み、前記少なくとも１つの遠隔基地局は、前記複数のマスター基地局のそれぞれと有線で前記同期信号及び前記データ信号を送受信する複数の遠隔基地局を含むことができる。
【００３１】
前記少なくとも１つのマスター基地局は、前記データ信号を有線で送受信する有線インターフェース部と；前記データ信号を無線で受信する無線受信部と；前記無線受信部から前記データ信号を受信し、エラーを復旧するエラー復旧演算部と；前記データ信号を無線で送信する無線送信部と；前記有線インターフェース部及び前記エラー復旧演算部からデジタル形態の前記データ信号を受信し、アナログ形態の前記データ信号に変換する第１コーデック部と；前記第１コーデック部から前記アナログ形態の前記データ信号を受信し、オーディオ出力装置に送信するアナログ信号出力部と；オーディオ入力装置から前記アナログ形態の前記データ信号を受信するアナログ信号入力部と；前記アナログ信号入力部から前記アナログ形態の前記データ信号を受信し、前記デジタル形態の前記データ信号に変換する第２コーデック部と；前記有線インターフェース部、前記無線受信部及び前記無線送信部を制御する制御部とを備えることができる。
【００３２】
前記少なくとも１つのマスター基地局は、前記データ信号を合成して前記オーディオ出力装置に送信する第１混合器と；前記オーディオ入力装置から受信した前記データ信号を合成する第２混合器とを更に備えることができる。
【００３３】
前記少なくとも１つの遠隔基地局は、前記データ信号を有線で送受信する有線インターフェース部と；前記データ信号を無線で受信する無線受信部と；前記無線受信部から前記データ信号を受信し、エラーを復旧するエラー復旧演算部と；前記データ信号を無線で送信する無線送信部と；前記有線インターフェース部、前記無線受信部及び前記無線送信部を制御する制御部とを備えることができる。
【００３４】
前記複数の第１移動端末及び前記複数の第２移動端末のそれぞれは、前記データ信号を無線で受信する無線受信部と；前記無線受信部から前記データ信号を受信し、エラーを復旧するエラー復旧演算部と；前記データ信号を無線で送信する無線送信部と；前記エラー復旧演算部からデジタル形態の前記データ信号を受信し、アナログ形態の前記データ信号に変換する第１コーデック部と；前記第１コーデック部から前記アナログ形態の前記データ信号を受信し、オーディオ出力装置に送信するアナログ信号出力部と；オーディオ入力装置から前記アナログ形態の前記データ信号を受信するアナログ信号入力部と；前記アナログ信号入力部から前記アナログ形態の前記データ信号を受信し、前記デジタル形態の前記データ信号に変換する第２コーデック部と；前記無線受信部及び前記無線送信部を制御する制御部とを備えることができる。  
【発明の効果】
【００３５】
本発明に係るデジタル無線インターコムシステム及びその駆動方法においては、マスター基地局と少なくとも１つの遠隔基地局とをイーサネット（ＬＡＮ）などを利用して互いに有線で連結し、マスター基地局と少なくとも１つの遠隔基地局を、少なくとも１つの移動端末と無線で連結することにより、汎用装置を利用して通信距離を拡張することができ、無線電波到達圏外地域を解消することができる。
【００３６】
また、マスター基地局と少なくとも１つの遠隔基地局は、各伝送フレームの周期開始点が非同期状態の時分割方式の同期信号及びデジタル形態のデータ信号を伝送するが、マスター基地局と少なくとも１つの遠隔基地局のそれぞれの位置によって干渉のない周波数を選択し、互いに相違した独立周波数の同期信号及びデジタル形態のデータ信号を伝送することによって周波数干渉現象を改善し、マスター基地局及び少なくとも１つの遠隔基地局に伝送フレームの数に対応する有線受信用の内部メモリバッファを形成することによって、有線遅延による切れ現象のような品質低下を防止することができる。
【図面の簡単な説明】
【００３７】
【図１】従来のデジタル無線インターコムシステムを示す図面である。
【図２】本発明の第１実施例に係るデジタル無線インターコムシステムを示す図面である。
【図３】本発明の第１実施例に係るデジタル無線インターコムシステムのマスター基地局を示す図面である。
【図４】本発明の第１実施例に係るデジタル無線インターコムシステムの少なくとも１つの遠隔基地局を示す図面である。
【図５】本発明の第１実施例に係るデジタル無線インターコムシステムの複数の第１移動端末のうち、１つを示す図面である。
【図６】本発明の第２実施例に係るデジタル無線インターコムシステムを示す図面である。
【図７】本発明の第２実施例に係るデジタル無線インターコムシステムの伝送フレームを示す図面である。
【図８】本発明の第２実施例に係るデジタル無線インターコムシステムのマスター基地局及び第１遠隔基地局を示す図面である。
【図９】本発明の第３実施例に係るデジタル無線インターコムシステムを示す図面である。
【発明を実施するための最良の形態】
【００３８】
以下、図面を参照して本発明の実施例を説明する。
【００３９】
図２は、本発明の第１実施例に係るデジタル無線インターコムシステムを示す図面である。
【００４０】
図２に示すように、本発明の第１実施例に係るデジタル無線インターコムシステム１１０は、マスター基地局（ｍａｓｔｅｒ  ｂａｓｅ  ｓｔａｔｉｏｎ：ＭＢＳ）１２０と、少なくとも１つの遠隔基地局（ｒｅｍｏｔｅ  ｂａｓｅ  ｓｔａｔｉｏｎ：ＲＢＳ）１３０と、イーサネット１４０と、複数の第１移動端末（ｂｅｌｔ  ｐａｃｋ：ＢＰ）１５０と、複数の第２移動端末（ＢＰ）１５２とを備える。
【００４１】
マスター基地局１２０及び遠隔基地局１３０は、互いに相違した独立周波数の運営によってそれぞれの無線通信可能距離である第１及び第２伝送半径Ｒ１、Ｒ２を持つが、複数の第１移動端末１５０は、マスター基地局１２０の第１伝送半径Ｒ１内に位置して、マスター基地局１２０と無線で同期制御のための同期信号及びオーディオデータに対するデジタル形態のデータ信号を送受信し、複数の第２移動端末１５２は、遠隔基地局１３０の第２伝送半径Ｒ２内に位置して、遠隔基地局１３０と無線で同期信号及びデジタル形態のデータ信号を送受信する。
【００４２】
複数の第１移動端末１５０及び複数の第２移動端末１５２の一部によって複数のオーディオ通話グループが定義され得るが、オーディオ通話グループとは、互いにオーディオデータを送受信することを目的とする移動端末の集合を意味する。
【００４３】
また、マスター基地局１２０と遠隔基地局１３０は、イーサネット１４０を介して互いに有線で連結される。
【００４４】
イーサネット１４０は、近距離通信網（ｌｏｃａｌ  ａｒｅａ  ｎｅｔｗｏｒｋ：ＬＡＮ）のために開発されたコンピュータネットワークであって、単純にＬＡＮとも呼ばれる。
【００４５】
イーサネット１４０に連結される機器は固有の住所を持って、互いにデータを送受信することができ、データ伝送媒体としてはＢＮＣケーブル、シールド撚り対線（ｓｈｉｅｌｄｅｄ  ｔｗｉｓｔｅｄ  ｐａｉｒ：ＳＴＰ）、非シールド撚り対線（ｕｎｓｈｉｅｌｄｅｄ  ｔｗｉｓｔｅｄ  ｐａｉｒ：ＵＴＰ）などを用いる。
【００４６】
かかるイーサネット１４０は、建物内事務室のコンピュータ同士のデータ通信を行うために既に設置されている場合が殆どなため、本発明の第１実施例に係るデジタル無線インターコムシステム１１０においては、既設置されているイーサネット１４０を利用してマスター基地局１２０と遠隔基地局１３０を有線で連結することにより、別途設置費及び維持補修費を節減することを特徴とする。
【００４７】
即ち、マスター基地局１２０と第１伝送半径Ｒ１内の複数の第１移動端末１５０は、周波数干渉環境を考慮した独立周波数で、無線でデジタル形態のデータ信号を送受信（双方向通信）する。
【００４８】
また、マスター基地局１２０と第１伝送半径Ｒ１外の複数の第２移動端末１５２は、複数の第２移動端末１５２と遠隔基地局１３０との間の独立周波数による無線連結及び遠隔基地局１３０とマスター基地局１２０との間のイーサネット１４０を介した有線連結によって、デジタル形態のデータ信号を送受信（双方向通信）する。
【００４９】
従って、マスター基地局１２０は、別途追加設置費及び維持補修費なしで、電波到達圏外地域である第１伝送半径Ｒ１外の複数の第２移動端末１５２まで通信距離を拡張することができる。
【００５０】
また、複数の第１移動端末１５０及び複数の第２移動端末１５２は、互いに位置が変更された場合（ｈａｎｄ−ｏｖｅｒ）においても、マスター基地局１２０または遠隔基地局１３０と無線でデジタル形態のデータを送受信することが可能である。
【００５１】
例えば、遠隔基地局１３０の第２伝送半径Ｒ２内にあった複数の第２移動端末１５２のうち、１つがマスター基地局１２０の第１伝送半径Ｒ１内に位置が変更された場合、該第２移動端末１５２は、マスター基地局１２０と独立周波数によって無線でデジタル形態のデータ信号を送受信（双方向通信）することができる。
【００５２】
かかるデジタル無線インターコムシステム１１０のマスター基地局１２０、少なくとも１つの遠隔基地局１３０、複数の移動端末１５０、１５２の構造について図面を参照して説明する。
【００５３】
図３、図４及び図５は、それぞれ本発明の第１実施例に係るデジタル無線インターコムシステムのマスター基地局、少なくとも１つの遠隔基地局、複数の第１移動端末のうち、１つを示す図面であり、図５は第１移動端末を例示して示す図面であって、第２移動端末も同一構造を持つ。
【００５４】
図３に示すように、本発明の第１実施例に係るデジタル無線インターコムシステムのマスター基地局１２０は、有線インターフェース部１６１、無線受信部１６２、無線送信部１６３、エラー復旧演算部１６４、アナログ信号出力部１６５、アナログ信号入力部１６６、第１コーデック部１６７、第２コーデック部１６８、制御部１６９及び制御パネル部１７０を備える。
【００５５】
有線インターフェース部１６１は、マスター基地局１２０に有線で連結される少なくとも１つの遠隔基地局（図２の１３０）とデジタル形態のデータ信号を送受信するが、受信されたデジタル形態のデータ信号を、マスター基地局１２０内での信号処理に適した形態に変調して、第１コーデック部１６７及び無線送信部１６３に伝達し、第２コーデック部１６８からデータ信号を受信し、伝送に適した形態に変調して送信することができる。
【００５６】
無線受信部１６２は、マスター基地局１２０に無線で連結される複数の第１移動端末（図２の１５０）からデジタル形態のデータ信号を受信し、エラー復旧演算部１６４に伝達する。
【００５７】
無線送信部１６３は、有線インターフェース部１６１、エラー復旧演算部１６４及び第２コーデック部１６８からデータ信号を受信し、マスター基地局１２０に無線で連結される複数の第１移動端末１５０にデジタル形態のデータ信号及び同期信号を送信する。
【００５８】
エラー復旧演算部１６４は、無線受信部１６２からデータ信号を受信し、信号伝送中に発生したエラーを復旧して、有線インターフェース部１６１、無線送信部１６３及び第１コーデック部１６７に伝達する。
【００５９】
アナログ信号出力部１６５は、第１コーデック部１６７からアナログ形態のデータ信号を受信し、スピーカーなどのオーディオ出力装置に送信するが、複数のデータ信号を第１混合器（ｍｉｘｅｒ）１６５ａを介して合成して送信したり、または別途変調せずにそのまま送信することができる。
【００６０】
アナログ信号入力部１６６は、マイクなどのオーディオ入力装置からアナログ形態のデータ信号を受信して第２コーデック部１６８に伝達するが、複数のデータ信号を第２混合器１６６ａを介して合成して受信したり、または別途変調せずにそのまま受信することができる。
【００６１】
第１コーデック部１６７は、有線インターフェース部１６１及びエラー復旧演算部１６４からデジタル形態のデータ信号を受信し、アナログ形態のデータ信号に変換して（ｄｉｇｉｔａｌ  ｔｏ  ａｎａｌｏｇ：Ｄ／Ａ）アナログ信号出力部１６５に伝達する。
【００６２】
第２コーデック部１６８は、アナログ信号入力部１６６からアナログ形態のデータ信号を受信し、デジタル形態のデータ信号に変換して（ａｎａｌｏｇ  ｔｏ  ｄｉｇｉｔａｌ：Ａ／Ｄ）有線インターフェース部１６１及び無線送信部１６３に伝達する。
【００６３】
制御部１６９は、主機能としてユーザーの命令や既設定されたプログラムによって有線インターフェース部１６１、無線受信部１６２及び無線送信部１６３を制御し、制御パネル部１７０は、ユーザーの命令を入力され、命令遂行結果またはマスター基地局１２０の状態を表示する。
【００６４】
また、制御部１６９は、エラー復旧演算部１６４、アナログ信号出力部１６５、アナログ信号入力部１６６、第１コーデック部１６７及び第２コーデック部１６８を更に制御することもでき、必要なデータを無線受信部１６２から受信したり、または無線送信部１６３に伝達することができる。
【００６５】
そして、図４に示すように、本発明の第１実施例に係るデジタル無線インターコムシステムの少なくとも１つの遠隔基地局１３０は、有線インターフェース部１７１、無線受信部１７２、無線送信部１７３、エラー復旧演算部１７４、アナログ信号出力部１７５、アナログ信号入力部１７６、第１コーデック部１７７、第２コーデック部１７８、制御部１７９及び制御パネル部１８０を備える。
【００６６】
有線インターフェース部１７１は、少なくとも１つの遠隔基地局１３０に有線で連結されるマスター基地局（図２の１２０）とデジタル形態のデータ信号を送受信するが、受信されたデジタル形態のデータ信号を、少なくとも１つの遠隔基地局１３０内での信号処理に適した形態に変調して、第１コーデック部１７７及び無線送信部１７３に伝達し、第２コーデック部１７８からデータ信号を受信して伝送に適した形態に変調し、送信することができる。
【００６７】
無線受信部１７２は、少なくとも１つの遠隔基地局１３０に無線で連結される複数の第２移動端末（図２の１５２）からデジタル形態のデータ信号を受信し、エラー復旧演算部１７４に伝達する。
【００６８】
無線送信部１７３は、有線インターフェース部１７１、エラー復旧演算部１７４及び第２コーデック部１７８からデータ信号を受信し、少なくとも１つの遠隔基地局１３０に無線で連結される複数の第２移動端末１５２にデジタル形態のデータ信号及び同期信号を送信する。
【００６９】
エラー復旧演算部１７４は、無線受信部１７２からデータ信号を受信し、信号伝送中に発生したエラーを復旧して有線インターフェース部１７１、無線送信部１７３及び第１コーデック部１７７に伝達する。
【００７０】
アナログ信号出力部１７５は、第１コーデック部１７７からアナログ形態のデータ信号を受信し、スピーカーなどのオーディオ出力装置に送信するが、複数のデータ信号を第１混合器（ｍｉｘｅｒ）１７５ａを介して合成して送信したり、別途変調せずにそのまま送信することができる。
【００７１】
アナログ信号入力部１７６は、マイクなどのオーディオ入力装置からアナログ形態のデータ信号を受信して第２コーデック部１７８に伝達するが、複数のデータ信号を第２混合器１７６ａを介して合成して受信したり、または別途変調せずにそのまま受信することができる。
【００７２】
第１コーデック部１７７は、有線インターフェース部１７１及びエラー復旧演算部１７４からデジタル形態のデータ信号を受信し、アナログ形態のデータ信号に変換して（ｄｉｇｉｔａｌ  ｔｏ  ａｎａｌｏｇ：Ｄ／Ａ）アナログ信号出力部１７５に伝達する。
【００７３】
第２コーデック部１７８は、アナログ信号入力部１７６からアナログ形態のデータ信号を受信し、デジタル形態のデータ信号に変換して（ａｎａｌｏｇ  ｔｏ  ｄｉｇｉｔａｌ：Ａ／Ｄ）有線インターフェース部１７１及び無線送信部１７３に伝達する。
【００７４】
制御部１７９は、主機能としてユーザーの命令や既設定されたプログラムによって有線インターフェース部１７１、無線受信部１７２及び無線送信部１７３を制御し、制御パネル部１８０は、ユーザーの命令を入力され、命令遂行結果または少なくとも１つの遠隔基地局１３０の状態を表示する。
【００７５】
また、制御部１７９は、エラー復旧演算部１７４、アナログ信号出力部１７５、アナログ信号入力部１７６、第１コーデック部１７７及び第２コーデック部１７８を更に制御することもでき、必要なデータを無線受信部１７２から受信したり、または無線送信部１７３に伝達することができる。
【００７６】
アナログ信号出力部１７５、アナログ信号入力部１７６、第１及び第２混合器１７５ａ、１７６ａ、第１及び第２コーデック部１７７、１７８及び制御パネル部１８０のうち、１つ以上は、応用分野によって省略することができる。
【００７７】
例えば、少なくとも１つの遠隔基地局１３０がオーディオ入出力機能を持たないように設計された場合、少なくとも１つの遠隔基地局１３０に連結されるスピーカーなどのオーディオ出力装置とマイクなどのオーディオ入力装置を省略し、少なくとも１つの遠隔基地局１３０のアナログ信号出力部１７５、アナログ信号入力部１７６、第１及び第２混合器１７５ａ、１７６ａと第１及び第２コーデック部１７７、１７８は省略することができる。
【００７８】
また、図５に示すように、本発明の第１実施例に係るデジタル無線インターコムシステムの複数の第１移動端末１５０のそれぞれは、無線受信部１８２、無線送信部１８３、エラー復旧演算部１８４、アナログ信号出力部１８５、アナログ信号入力部１８６、第１コーデック部１８７、第２コーデック部１８８、制御部１８９及び制御パネル部１９０を備える。
【００７９】
無線受信部１８２は、マスター基地局（図２の１２０）からデジタル形態のデータ信号を無線で受信し、エラー復旧演算部１８４に伝達する。
【００８０】
また、無線受信部１８２は、マスター基地局１２０からデジタル形態の同期信号を受信する。
【００８１】
無線送信部１８３は、第２コーデック部１８８からデータ信号を受信し、マスター基地局１２０にデジタル形態のデータ信号を送信する。
【００８２】
エラー復旧演算部１８４は、無線受信部１８２からデータ信号を受信し、信号伝送中に発生したエラーを復旧して第１コーデック部１８７に伝達する。
【００８３】
アナログ信号出力部１８５は、第１コーデック部１８７からアナログ形態のデータ信号を受信し、スピーカーなどのオーディオ出力装置に送信するが、複数のデータ信号を第１混合器（ｍｉｘｅｒ）１８５ａを介して合成して送信したり、別途変調せずにそのまま送信することができる。
【００８４】
アナログ信号入力部１８６は、マイクなどのオーディオ入力装置からアナログ形態のデータ信号を受信して第２コーデック部１８８に伝達する。
【００８５】
第１コーデック部１８７は、エラー復旧演算部１８４からデジタル形態のデータ信号を受信し、アナログ形態のデータ信号に変換して（ｄｉｇｉｔａｌ  ｔｏ  ａｎａｌｏｇ：Ｄ／Ａ）アナログ信号出力部１８５に伝達する。
【００８６】
第２コーデック部１８８は、アナログ信号入力部１８６からアナログ形態のデータ信号を受信し、デジタル形態のデータ信号に変換して（ａｎａｌｏｇ  ｔｏ  ｄｉｇｉｔａｌ：Ａ／Ｄ）無線送信部１８３に伝達する。
【００８７】
制御部１８９は、主機能としてユーザーの命令や既設定されたプログラムによって無線受信部１８２及び無線送信部１８３を制御し、制御パネル部１９０は、ユーザーの命令を入力され、命令遂行結果またはマスター基地局１２０の状態を表示する。
【００８８】
また、制御部１８９は、エラー復旧演算部１８４、アナログ信号出力部１８５、アナログ信号入力部１８６、第１コーデック部１８７及び第２コーデック部１８８を更に制御することもでき、必要なデータを無線受信部１８２から受信したり、または無線送信部１８３に伝達することができる。
【００８９】
一方、建物内事務室のコンピュータはイーサネット１４０を介してハブに連結することができ、建物内の複数のハブは建物インフラ網（ｂｕｉｌｄｉｎｇ  ｉｎｆｒａｓｔｒｕｃｔｕｒｅまたはＬＡＮインフラ網）に連結することができ、本発明の実施例に係るデジタル無線インターコムシステムは、イーサネット（またはＬＡＮ）及びハブを介して建物インフラ網（またはＬＡＮインフラ網）及びインターネットに連結することで、他の建物内の移動端末まで通信距離を拡張することができるが、それを図面を参照して説明する。
【００９０】
図６は、本発明の第２実施例に係るデジタル無線インターコムシステムを示す図面である。
【００９１】
図６に示すように、第２実施例に係るデジタル無線インターコムシステム２１０は、マスター基地局（ＭＢＳ）２２０と、少なくとも１つの第１遠隔基地局（ＲＢＳ）２３０、２３２、２３４、２３６及び少なくとも１つの第２遠隔基地局（ＲＢＳ）２３１、２３３、２３５、２３７と、少なくとも１つの第１ハブ（ＨＵＢ）２６０、２６２及び少なくとも１つの第２ハブ（ＨＵＢ）２６４、２６６と、第１及び第２インフラ網（ｉｎｆｒａｓｔｒｕｃｔｕｒｅ）２７０、２７２と、インターネット２８０と、複数の第１ないし第５移動端末（ＢＰ）２５０、２５２、２５４、２５６、２５８及び複数の第６ないし第９移動端末（ＢＰ）２５１、２５３、２５５、２５７とを備える。
【００９２】
図面には示していないが、マスター基地局２２０、少なくとも１つの第１遠隔基地局２３０、２３２、２３４、２３６、少なくとも１つの第２遠隔基地局２３１、２３３、２３５、２３７は、それぞれの無線通信可能距離である伝送距離を持つ。
【００９３】
そして、複数の第１移動端末２５０は、マスター基地局２２０の独立周波数による伝送半径内に位置し、複数の第２ないし第５移動端末２５２、２５４、２５６、２５８は、少なくとも１つの第１遠隔基地局２３０、２３２、２３４、２３６のそれぞれの独立周波数による伝送半径内に位置し、複数の第６ないし第９移動端末２５１、２５３、２５５、２５７は、少なくとも１つの第２遠隔基地局２３１、２３３、２３５、２３７のそれぞれの独立周波数による伝送半径内に位置して、マスター基地局２２０、少なくとも１つの第１遠隔基地局２３０、２３２、２３４、２３６または少なくとも１つの第２遠隔基地局２３１、２３３、２３５、２３７と無線で同期信号を受信し、無線でデジタル形態のデータ信号を送受信する。
【００９４】
複数の第１ないし第９移動端末２５０、２５２、２５４、２５６、２５８、２５１、２５３、２５５、２５７の一部によって複数のオーディオ通話グループが定義され得り、マスター基地局２２０と少なくとも１つの第１遠隔基地局２３０、２３２、２３４、２３６は、第１イーサネット２４０及び少なくとも１つの第１ハブ２６０、２６２を介して相互連結され、少なくとも１つの第１ハブ２６０、２６２は、第１建物（不図示）内のデータ通信網である第１インフラ網２７０に連結される。
【００９５】
即ち、第１建物には内部のデータ通信のために第１インフラ網２７０が構築されていることがあるが、例えば、第１建物内の複数の事務室のそれぞれには少なくとも１つの第１ハブ２６０、２６２が配置され、該事務室のコンピュータは、第１イーサネット２４０を介して少なくとも１つの第１ハブ２６０、２６２に連結することができ、少なくとも１つの第１ハブ２６０、２６２は、第１イーサネット２４０を介して第１インフラ網２７０に連結することができる。
【００９６】
従って、本発明の第２実施例に係るデジタル無線インターコムシステム２１０においては、第１建物に既設置された第１イーサネット２４０、少なくとも１つの第１ハブ２６０、２６２、第１インフラ網２７０を利用して、マスター基地局２２０と少なくとも１つの第１遠隔基地局２３０、２３２、２３４、２３６は、互いに有線でデジタル形態のデータ信号を送受信することができ、その結果、マスター基地局２２０と少なくとも１つの第１遠隔基地局２３０、２３２、２３４、２３６のそれぞれの伝送半径内に位置する複数の第１ないし第５移動端末２５０、２５２、２５４、２５６、２５８は、互いに有線及び無線でデジタル形態のデータ信号を送受信することができる。
【００９７】
そして、第１建物の第１インフラ網２７０は、インターネット２８０を介して第２建物（不図示）の第２インフラ網２７２に連結される。
【００９８】
第１建物と同様に、第２建物内の複数の事務室のそれぞれには少なくとも１つの第２ハブ２６４、２６６が配置され、該事務室のコンピュータは、第２イーサネット２４２を介して少なくとも１つの第２ハブ２６４、２６６に連結することができ、少なくとも１つの第２ハブ２６４、２６６は、第２イーサネット２４２を介して第２インフラ網２７２に連結することができる。
【００９９】
また、少なくとも１つの第２遠隔基地局２３１、２３３、２３５、２３７は、第２イーサネット２４２及び少なくとも１つの第２ハブ２６４、２６６を介して第２インフラ網２７２に連結される。
【０１００】
従って、本発明の第２実施例に係るデジタル無線インターコムシステム２１０においては、第１建物に既設置された第１イーサネット２４０、少なくとも１つの第１ハブ２６０、２６２、第１インフラ網２７０及び第２建物に既設置された第２イーサネット２４２、少なくとも１つの第２ハブ２６４、２６６、第２インフラ網２７２を利用して、マスター基地局２２０と少なくとも１つの第２遠隔基地局２３１、２３３、２３５、２３７は、互いに有線でデジタル形態のデータ信号を送受信することができ、その結果、マスター基地局２２０と少なくとも１つの第２遠隔基地局２３１、２３３、２３５、２３７のそれぞれの伝送半径内に位置する複数の第１移動端末２５０及び複数の第６ないし第９移動端末２５１、２５３、２５５、２５７は、互いに有線及び無線でデジタル形態のデータ信号を送受信することができる。
【０１０１】
そのため、本発明の第２実施例に係るデジタル無線インターコムシステム２１０においては、マスター基地局２２０は、別途追加設置費及び維持補修費なしで第１建物内の電波到達圏外地域である伝送半径外の複数の第２ないし第５移動端末２５２、２５４、２５６、２５８まで通信距離を拡張することができるだけでなく、マスター基地局２２０が位置する第１建物と相違した第２建物内の複数の第６ないし第９移動端末２５１、２５３、２５５、２５７まで通信距離を拡張することができる。
【０１０２】
一方、本発明の第１及び第２実施例に係るデジタル無線インターコムシステムにおいては、同期信号及びデジタル形態のデータ信号が時分割方式で伝送される。第２実施例を挙げ、図面を参照して説明する。
【０１０３】
図７は、本発明の第２実施例に係るデジタル無線インターコムシステムの伝送フレームを示す図面である。図６と共に説明する。
【０１０４】
図７に示すように、マスター基地局２２０、少なくとも１つの第１遠隔基地局２３０、２３２、２３４、２３６、少なくとも１つの第２遠隔基地局２３１、２３３、２３５、２３７のそれぞれの伝送フレームは、送信される同期信号のための送信同期フレームと、送受信されるデジタル形態のデータ信号のための複数の受信データフレーム及び複数の送信データフレームを有し、送信同期フレーム、複数の受信データフレーム及び複数の送信データフレームが１周期（ｐｅｒｉｏｄ）を構成する。
【０１０５】
そして、マスター基地局２２０の伝送半径内の複数の第１移動端末２５０、少なくとも１つの第１遠隔基地局２３０、２３２、２３４、２３６の伝送半径内の複数の第１ないし第５移動端末２５０、２５２、２５４、２５６、２５８、少なくとも１つの第２遠隔基地局２３１、２３３、２３５、２３７の伝送半径内の複数の第６ないし第９移動端末２５１、２５３、２５５、２５７のそれぞれの伝送フレームは、受信される同期信号のための受信同期フレームと、送受信されるデジタル形態のデータ信号のための複数の送信データフレーム及び複数の受信データフレームを有し、受信同期フレーム、複数の送信データフレーム及び複数の受信データフレームが１周期（ｐｅｒｉｏｄ）を構成する。
【０１０６】
複数の第１ないし第９移動端末２５０、２５２、２５４、２５６、２５８、２５１、２５３、２５５、２５７の受信同期フレーム、複数の送信データフレーム及び複数の受信データフレームは、マスター基地局２２０、少なくとも１つの第１遠隔基地局２３０、２３２、２３４、２３６、少なくとも１つの第２遠隔基地局２３１、２３３、２３５、２３７のうち、移動端末自身が属した伝送半径の該当基地局の送信同期フレーム、複数の受信データフレーム及び複数の送信データフレームにそれぞれ対応する。
【０１０７】
即ち、複数の第１ないし第９移動端末２５０、２５２、２５４、２５６、２５８、２５１、２５３、２５５、２５７のそれぞれは、マスター基地局２２０、少なくとも１つの第１遠隔基地局２３０、２３２、２３４、２３６、少なくとも１つの第２遠隔基地局２３１、２３３、２３５、２３７のうち、移動端末自身が属した該当基地局から同期信号を無線で受信し、受信された同期信号に同期（ｓｙｎｃｈｒｏｎｉｚａｔｉｏｎ）される。
【０１０８】
また、複数の第１ないし第９移動端末２５０、２５２、２５４、２５６、２５８、２５１、２５３、２５５、２５７のそれぞれは、該当基地局とデジタル形態のデータ信号を無線で送受信する。
【０１０９】
具体的に、マスター基地局２２０、少なくとも１つの第１遠隔基地局２３０、２３２、２３４、２３６、少なくとも１つの第２遠隔基地局２３１、２３３、２３５、２３７のそれぞれは、複数の第１ないし第９移動端末２５０、２５２、２５４、２５６、２５８、２５１、２５３、２５５、２５７からデジタル形態のデータ信号を複数の受信データフレームで受信し、受信された複数の受信データフレームと１：１でマッピングされた複数の送信データフレームを生成して、複数の第１ないし第９移動端末２５０、２５２、２５４、２５６、２５８、２５１、２５３、２５５、２５７には無線で送信し、自分自身を除いたマスター基地局２２０、少なくとも１つの第１遠隔基地局２３０、２３２、２３４、２３６、少なくとも１つの第２遠隔基地局２３１、２３３、２３５、２３７には有線で送信する。
【０１１０】
一方、マスター基地局２２０、少なくとも１つの第１遠隔基地局２３０、２３２、２３４、２３６、少なくとも１つの第２遠隔基地局２３１、２３３、２３５、２３７の伝送フレームは、互いに相違した周期開始点（ｓｔａｒｔｉｎｇ  ｔｉｍｉｎｇ）を持つ。
【０１１１】
例えば、マスター基地局２２０は、第１時刻ｔ１を伝送フレームの開始点にする反面、少なくとも１つの第１遠隔基地局２３０、２３２、２３６、２３８及び少なくとも１つの第２遠隔基地局２３１、２３３、２３５、２３７は、第１時刻ｔ１と相違した第２ないし第９時刻ｔ２ないしｔ９のそれぞれを伝送フレームの開始点にする。
【０１１２】
従って、マスター基地局２２０、少なくとも１つの第１遠隔基地局２３０、２３２、２３６、２３８及び少なくとも１つの第２遠隔基地局２３１、２３３、２３５、２３７は、互いに非同期され、有線でデジタル形態のデータ信号を送受信し、マスター基地局２２０、少なくとも１つの第１遠隔基地局２３０、２３２、２３６、２３８及び少なくとも１つの第２遠隔基地局２３１、２３３、２３５、２３７とそれぞれの移動端末は、互いに同期されて無線でデジタル形態のデータ信号を送受信する。
【０１１３】
かかる本発明の第２実施例に係るデジタル無線インターコムシステム２１０において、複数の第１ないし第９移動端末２５０、２５２、２５４、２５６、２５８、２５１、２５３、２５５、２５７のそれぞれは、伝送フレームの複数の送信データフレームのうち、使用可能な（割り当てられていない）１つと複数の受信データフレームのうち、使用可能な１つを利用してマスター基地局２２０、少なくとも１つの第１遠隔基地局２３０、２３２、２３４、２３６、少なくとも１つの第２遠隔基地局２３１、２３３、２３５、２３７のうち、該当する基地局とデジタル形態のデータ信号を送受信する。
【０１１４】
そのために、複数の第１ないし第９移動端末２５０、２５２、２５４、２５６、２５８、２５１、２５３、２５５、２５７のそれぞれは、使用可能な送信フレーム及び受信フレームに対する可用フレームの情報をマスター基地局２２０、少なくとも１つの第１遠隔基地局２３０、２３２、２３４、２３６、少なくとも１つの第２遠隔基地局２３１、２３３、２３５、２３７のうち、該当する基地局から受信し、受信した可用フレームの情報を利用して、移動端末自身が使用する送信フレーム及び受信フレームを選択する。
【０１１５】
また、第１ないし第９移動端末２５０、２５２、２５４、２５６、２５８、２５１、２５３、２５５、２５７のそれぞれは、選択した送信フレーム及び受信フレームに対する使用フレームの情報を生成し、生成された使用フレームの情報をマスター基地局２２０、少なくとも１つの第１遠隔基地局２３０、２３２、２３４、２３６、少なくとも１つの第２遠隔基地局２３１、２３３、２３５、２３７のうち、該当する基地局に送信する。
【０１１６】
例えば、マスター基地局２２０が、使用可能な送信データフレーム及び受信データフレームに対する可用フレームの情報を、送信及び受信同期フレームの同期信号に付加して複数の第１移動端末２５０に送信すると、複数の第１移動端末２５０のそれぞれは、可用フレームの情報を利用して、使用可能な送信データフレーム及び受信データフレームのうち、１つをデジタル形態のデータ信号送受信用として選択し、選択された送信データフレーム及び受信データフレームに対する使用フレームの情報を生成し、生成された使用フレームの情報を送信データ信号に付加してマスター基地局２２０に送信することができる。
【０１１７】
使用フレームの情報は、選択された送信及び受信データフレームのフレーム識別番号及びオーディオ通話グループの識別番号を含むことができる。
【０１１８】
そして、マスター基地局２２０、少なくとも１つの第１遠隔基地局２３０、２３２、２３４、２３６、少なくとも１つの第２遠隔基地局２３１、２３３、２３５、２３７は、互いに可用フレームの情報を有線で送受信するが、伝送フレームの周期毎に、または可用フレームの情報が更新される度に送受信することができる。
【０１１９】
それによって、本発明の第２実施例に係るデジタル無線インターコムシステム２１０のマスター基地局２２０、少なくとも１つの第１遠隔基地局２３０、２３２、２３４、２３６、少なくとも１つの第２遠隔基地局２３１、２３３、２３５、２３７と複数の第１ないし第９移動端末２５０、２５２、２５４、２５６、２５８、２５１、２５３、２５５、２５７は、使用可能な送信データフレーム及び受信データフレームに対する可用フレームの情報を共有することになり、複数の第１ないし第９移動端末２５０、２５２、２５４、２５６、２５８、２５１、２５３、２５５、２５７が新しいデジタル形態のデータ信号を送信する場合、可用フレームの情報を利用して、使用可能な送信データフレーム及び受信データフレームのうち、１つを選択することができる。
【０１２０】
特に、マスター基地局２２０は、少なくとも１つの第１遠隔基地局２３０、２３２、２３４、２３６、少なくとも１つの第２遠隔基地局２３１、２３３、２３５、２３７からデジタル形態のデータ信号に付加された使用フレームの情報を受信し、受信された使用フレームの情報を総合編集して、更新された可用フレームの情報を生成し、生成された可用フレームの情報を、周期毎に、または可用フレームの情報が更新される度に、少なくとも１つの第１遠隔基地局２３０、２３２、２３４、２３６、少なくとも１つの第２遠隔基地局２３１、２３３、２３５、２３７に送信することによって、信号遅延及び通信障害などで発生し得る伝送フレームの不整合（ｍｉｓｍａｔｃｈｉｎｇ、例えば、複数の移動端末による同一データフレームの同時選択）を未然に防止することができる。
【０１２１】
そして、複数の第１ないし第９移動端末２５０、２５２、２５４、２５６、２５８、２５１、２５３、２５５、２５７のそれぞれは、マスター基地局２２０、少なくとも１つの第１遠隔基地局２３０、２３２、２３４、２３６、少なくとも１つの第２遠隔基地局２３１、２３３、２３５、２３７のうち、該当基地局から無線で受信したデジタル形態のデータ信号の複数の受信データフレームのうち、移動端末自身に対応する少なくとも１つを選択し、選択された少なくとも１つの受信データフレームのデジタル形態のデータ信号をアナログに変換（ｄｉｇｉｔａｌ  ｔｏ  ａｎａｌｏｇ  ｃｏｎｖｅｒｔｉｎｇ：ＤＡＣ）して、混合（ｍｉｘｉｎｇ）することで、ユーザーは、同一オーディオ通話グループの複数の移動端末のオーディオを同時聴取することができる。
【０１２２】
一方、本発明の第１及び第２実施例に係るデジタル無線インターコムシステムは、イーサネット（ＬＡＮ）、インフラ網（ＬＡＮインフラ網）、インターネットなどを介して有線でデジタル形態のデータ信号を送受信するが、かかる有線送受信の相違した遅延時間を改善するために、各基地局は伝送フレーム毎に受信バッファメモリを備えることができる。第２実施例を挙げ、図面を参照して説明する。
【０１２３】
図８は、本発明の第２実施例に係るデジタル無線インターコムシステムのマスター基地局及び第１遠隔基地局を示す図面である。
【０１２４】
図８に示すように、本発明の第２実施例に係るデジタル無線インターコムシステムのマスター基地局２２０と第１遠隔基地局２３０は、互いにイーサネット２４０及びインフラ網２７０のうち、少なくとも１つを介して有線で可用フレームの情報を含む同期信号及びデジタル形態のデータ信号を送受信する。
【０１２５】
第１遠隔基地局２３０は、少なくとも１つの第１遠隔基地局（図６の２３０、２３２、２３４、２３６）及び少なくとも１つの第２遠隔基地局（図６の２３１、２３３、２３５、２３７）のうち、１つであり、少なくとも１つの第２遠隔基地局である場合、イーサネット２４０、インフラ網（図６の２７０、２７２）、インターネット（図６の２８０）を介してマスター基地局２２０と有線で同期信号及びデジタル形態のデータ信号を送受信する。
【０１２６】
そして、マスター基地局２２０は、伝送半径内の複数の第１移動端末２５０と無線で同期信号及びデジタル形態のデータ信号を送受信し、第１遠隔基地局２３０は、伝送半径内の複数の第２移動端末２５２と無線で同期信号及びデジタル形態のデータ信号を送受信するが、各移動端末が各基地局に送信するデジタル形態のデータ信号は、オーディオデータ及び使用フレームの情報を含むことができ、各基地局が各移動端末に送信する同期信号は、可用フレームの情報を含み、各基地局が各移動端末に送信するデジタル形態のデータ信号は、オーディオデータを含むことができる。
【０１２７】
マスター基地局２２０及び第１遠隔基地局２３０は、それぞれ伝送フレーム毎に受信バッファメモリ２２０ａ、２３０ａを備え、バッファメモリ２２０ａ、２３０ａは、同時に使用可能なチャンネル数である伝送フレームの数（ｎ個）と同一数の複数のバッファ（第１ないし第ｎマスターバッファ、第１ないし第ｎ遠隔バッファ）で構成することができる。
【０１２８】
マスター基地局２２０は、第１遠隔基地局２３０から有線で受信したデジタル形態のデータ信号を伝送半径内の複数の第１移動端末２５０に無線で伝送するが、マスター基地局２２０と第１遠隔基地局２３０との間の有線ネットワークの種類及び状態によって相違した有線遅延が発生する。
【０１２９】
例えば、マスター基地局２２０及び第１遠隔基地局２３０がイーサネット２４０で連結された場合、有線遅延は相対的に少なく、マスター基地局２２０及び第５遠隔基地局２３１がインフラ網２７０及びインターネット２８０で連結された場合、トラフィック状態によって有線遅延が相対的に多く変動し得る。
【０１３０】
そして、マスター基地局２２０及び第１遠隔基地局２３０が送信するデジタル形態のデータ信号の伝送フレームは、周期開始点が相違するだけでなく、時間ずれ（ｔｉｍｅ  ｓｈｉｆｔ）現象によって周期開始点が変動し得り、かかる相違した有線遅延及び相違した周期開始点は、各移動端末におけるオーディオ切れのような不良を引き起こす。
【０１３１】
有線ネットワークによる相違した有線遅延及び相違した周期開始点を補償してオーディオ切れのような不良を防止するために、本発明の第２実施例に係るデジタル無線インターコムシステム２１０においては、マスター基地局２２０及び第１遠隔基地局２３０が有線で受信するデジタル形態のデータ信号を、複数（ｎ個）の伝送フレーム毎に複数のバッファ（第１ないし第ｎマスターバッファ、第１ないし第ｎ遠隔バッファ）にセーブした後、予め設定された受信遅延基準を満たした場合、複数バッファのそれぞれにセーブされた伝送フレームのデジタル形態のデータ信号を複数の第１及び第２移動端末２５０、２５２に送信する。
【０１３２】
例えば、複数のバッファは容量を設定することができる可変バッファで構成することができ、可変バッファの設定容量が伝送フレームで一杯になった場合、該当デジタル形態のデータ信号を複数の第１及び第２移動端末２５０、２５２に送信することを送信基準として設定することができる。
【０１３３】
従って、マスター基地局２２０及び第１遠隔基地局２３０のバッファメモリ２２０ａ、２３０ａの複数バッファの容量を調節することで、遅延を最小化し、オーディオ切れのような不良を防止することができる。
【０１３４】
そして、示してはいないが、インフラ網のトラフィック状態が劣悪な場合、有線遅延を最小化し、複数バッファの最大容量を低減するために、イーサネット２４０が連結されるハブ（図６の２６０、２６２、２６４、２６６）を利用して別途回線を設けたり、またはイーサネット２４０の既存配線のうち、一部の配線を同期維持のための信号伝送専用として用いることができる。
【０１３５】
また、伝送フレームの周期開始点の非同期によって発生し得る遅延を低減するために、マスター基地局２２０が有線で別途の補助同期信号を第１遠隔基地局２３０に伝送すると、第１遠隔基地局２３０は一定時間偏差内にある補助同期信号だけを遅延のないものとして判断し、同期を再調整することで、有線同期を維持することができる。
【０１３６】
一方、マスター基地局を複数形成し、それら複数のマスター基地局同士を有線で連結して使用周波数に対する情報などを共有し、同時に使用可能な移動端末の数を増加させることもできるが、それについて図面を参照して説明する。
【０１３７】
図９は、本発明の第３実施例に係るデジタル無線インターコムシステムを示す図面である。
【０１３８】
図９に示すように、本発明の第３実施例に係るデジタル無線インターコムシステム３１０は、複数のマスター基地局（ＭＢＳ）３２０、３２２、３２４と、複数の遠隔基地局（ＲＢＳ）３３０、３３１、３３２、３３３、３３４、３３５と、複数の移動端末（ＢＰ）３５０、３５１、３５２、３５３、３５４、３５５、３５６、３５７、３５８とを備える。
【０１３９】
具体的に第１、第２、…、第ｎマスター基地局３２０、３２２、…、３２４は、イーサネットなどのような専用有線で相互連結され、同期信号及びデジタル形態のデータ信号を送受信し、使用周波数に対する情報を共有して相互同期を維持することができる。
【０１４０】
また、第１、第２、…、第ｎマスター基地局３２０、３２２、…、３２４は、それぞれ互いに相違した独立周波数による伝送半径内の複数の移動端末３５０、３５１、３５２と無線で同期信号及びデジタル形態のデータ信号を送受信する。
【０１４１】
そして、第１、第２、…、第ｎマスター基地局３２０、３２２、…、３２４は、それぞれ少なくとも１つの第１、第２、…、第ｎ遠隔基地局（３３０、３３１）、（３３２、３３３）、…、（３３４、３３５）にイーサネットなどのような有線で連結され、同期信号及びデジタル形態のデータ信号を送受信し、少なくとも１つの第１、第２、…、第ｎ遠隔基地局（３３０、３３１）、（３３２、３３３）、…、（３３４、３３５）は、それぞれ相違した独立周波数による伝送半径内の複数の移動端末３５３、３５４、３５５、３５６、…、３５７、３５８と無線で同期信号及びデジタル形態のデータ信号を送受信する。
【０１４２】
それによって、第１マスター基地局３２０の伝送半径内の複数の移動端末３５０は、第１マスター基地局３２０と有線で連結される少なくとも１つの第１遠隔基地局３３０、３３１の伝送半径内の複数の移動端末３５３、３５４と互いにオーディオ情報を交換することができるだけでなく、第ｎマスター基地局３２４と有線で連結される少なくとも１つの第ｎ遠隔基地局３３４、３３５の伝送半径内の複数の移動端末３５７、３５８と互いにオーディオ情報を交換することもでき、それを通じて、マルチメディア装置の同時ユーザー数を増加させることができる。
【０１４３】
以上のように、本発明の実施例に係るデジタル無線インターコムシステムにおいては、従来のデジタル無線インターコムシステムの短所である設置の制約を解消し、高音質／双方向／中央モニタリングなどの様々な機能を提供することができ、それによって既存のアナログ無線機を代替する汎用機器としてのデジタル無線インターコムシステムを製作することが可能になる。
【０１４４】
特に、現在使用中の無線ＬＡＮ、ＤＥＣＴ、ＦＳＫトランシーバーなどの無線を用いるデジタル無線インターコムシステムの根本的な問題、即ち、小出力・高周波数による伝送距離の限界に起因する無線電波到達圏外地域を解消し、高価な専用設備を追加することなく、簡単に設置することができるため、汎用化を加速化することができる。
【０１４５】
また、製品化が加速しているＭＩＭＯアンテナ技術及びＵＷＢ、現在、標準化進行中の８０２．１１ａｃ及び８０２．１１ａｄなどの今後の技術を採用したデジタル無線インターコムシステムにおいても本発明を適用して品質及び距離を向上させ、既存のインフラ網を簡単に使用できるようにすることで、高品質の様々なデジタル無線インターコムシステムの製品化を加速することができる。
【０１４６】
本発明は、前記の実施例に限定されず、本発明の趣旨を逸脱しない範囲で種々の変更実施が可能である。
【図１】
2013541865.tif 000003
【図２】
2013541865.tif 000004
【図３】
2013541865.tif 000005
【図４】
2013541865.tif 000006
【図５】
2013541865.tif 000007
【図６】
2013541865.tif 000008
【図７】
2013541865.tif 000009
【図８】
2013541865.tif 000010
【図９】
2013541865.tif 000011
【国際調査報告】
2013541865.tif 000012
2013541865.tif 000013
2013541865.tif 000014
2013541865.tif 000015